【手続補正書】
【提出日】平成18年11月27日(2006.11.27)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】  貨幣投入口と、
該貨幣投入口から投入された貨幣を識別する貨幣識別部と、
該貨幣識別部により識別された貨幣金額に対応する有価価値の大きさを記憶する有価価値記憶部と、
貸し出される貸出遊技媒体数量に対応する有価価値の大きさを、前記有価価値記憶部に記憶された有価価値の大きさより減算して残有価価値の大きさを算出し、該残有価価値の大きさを前記有価価値記憶部に記憶、更新する減算処理部と、
遊技者により遊技媒体貸し出し終了操作が実行された際に、前記残有価価値の大きさを特定可能な残有価価値特定情報が記録された記録媒体を発行する記録媒体発行部と、
を具備し、遊技機に対応して設けられる遊技媒体貸出装置と、
前記残有価価値特定情報に対応付けて残有価価値の大きさを管理する管理コンピュータと、
を備える遊技用システムにおいて、
前記遊技媒体貸出装置は、前記記録媒体発行部により記録媒体を発行するときに、該記録媒体の残有価価値特定情報と残有価価値の大きさとを前記管理コンピュータに対して送信し、
前記管理コンピュータは、前記遊技媒体貸出装置から残有価価値特定情報と残有価価値の大きさとを受信する以前には該残有価価値特定情報を管理せず、該残有価価値特定情報と残有価価値の大きさとを受信したことに応じて、当該残有価価値特定情報および残有価価値の大きさの管理を開始する
ことを特徴とする遊技用システム。
【請求項２】  前記記録媒体発行部は、前記残有価価値の大きさが「０」の場合には、前記記録媒体の発行を行わない請求項１に記載の遊技用システム。
【請求項３】  前記遊技媒体貸出装置は、前記有価価値記憶部に記憶される有価価値の大きさを表示する表示部を、遊技者が可視可能な適宜箇所に有する請求項１または２に記載の遊技用システム。
【請求項４】  前記遊技媒体貸出装置は、前記貸出遊技媒体数量に対応する有価価値の大きさを遊技者が選択可能とする選択入力部を有する請求項１〜３のいずれかに記載の遊技用システム。
【請求項５】  前記遊技媒体貸出装置は、前記貨幣識別部により識別された貨幣金額に対応する有価価値の大きさが、所定の貸出遊技媒体数量に対応する有価価値の大きさ以上であるか否かを比較判断する判断手段を有し、該判断手段により所定の貸出遊技媒体数量に対応する有価価値の大きさ以上であると判断された場合には、前記所定の貸出遊技媒体数量の遊技媒体の貸し出しを行う請求項１〜３のいずれかに記載の遊技用システム。
【請求項６】  前記遊技媒体貸出装置は、前記所定の貸出遊技媒体数量に対応する有価価値の大きさを設定する設定部を有する請求項５に記載の遊技用システム。
【請求項７】  前記遊技媒体貸出装置は、前記貨幣識別部により貨幣が識別されてから、当該貨幣金額に対応する有価価値の大きさを使用した遊技媒体の貸し出しが行われることなく遊技者により遊技媒体貸し出し終了操作が実行された際に、投入された貨幣を返却する請求項１〜６のいずれかに記載の遊技用システム。
【手続補正３】
【補正対象書類名】明細書
【補正対象項目名】０００１
【補正方法】変更
【補正の内容】
【０００１】
【技術分野】
本発明は、遊技媒体を貸し出し可能な遊技媒体貸出装置を備える遊技用システムに関する。
【手続補正４】
【補正対象書類名】明細書
【補正対象項目名】０００６
【補正方法】変更
【補正の内容】
【０００６】
よって、本発明は上記した問題点に着目してなされたもので、遊技媒体の貸し出しを前記記録媒体の再挿入を行うことなく受けることのできる遊技用システムを提供することを目的としている。
【手続補正５】
【補正対象書類名】明細書
【補正対象項目名】０００７
【補正方法】変更
【補正の内容】
【０００７】
【課題を解決するための手段】
前記した問題を解決するために、本発明の遊技用システムは、
貨幣投入口と、
該貨幣投入口から投入された貨幣を識別する貨幣識別部と、
該貨幣識別部により識別された貨幣金額に対応する有価価値の大きさを記憶する有価価値記憶部と、
貸し出される貸出遊技媒体数量に対応する有価価値の大きさを、前記有価価値記憶部に記憶された有価価値の大きさより減算して残有価価値の大きさを算出し、該残有価価値の大きさを前記有価価値記憶部に記憶、更新する減算処理部と、
遊技者により遊技媒体貸し出し終了操作が実行された際に、前記残有価価値の大きさを特定可能な残有価価値特定情報が記録された記録媒体を発行する記録媒体発行部と、
を具備し、遊技機に対応して設けられる遊技媒体貸出装置と、
前記残有価価値特定情報に対応付けて残有価価値の大きさを管理する管理コンピュータと、
を備える遊技用システムにおいて、
前記遊技媒体貸出装置は、前記記録媒体発行部により記録媒体を発行するときに、該記録媒体の残有価価値特定情報と残有価価値の大きさとを前記管理コンピュータに対して送信し、
前記管理コンピュータは、前記遊技媒体貸出装置から残有価価値特定情報と残有価価値の大きさとを受信する以前には該残有価価値特定情報を管理せず、該残有価価値特定情報と残有価価値の大きさとを受信したことに応じて、当該残有価価値特定情報および残有価価値の大きさの管理を開始する
ことを特徴としている。
この特徴によれば、投入金額に基づく有価価値が前記有価価値記憶部に記憶されるとともに、貸し出された遊技媒体数に対応する有価価値が前記減算処理部にて減算されて前記有価価値記憶部に記憶、更新され、遊技媒体貸し出し終了操作がなされた際に、前記残有価価値特定情報が記録された記録媒体が発行されるようになるため、遊技者は前記記録媒体の発行を受けることなく、遊技媒体の貸し出しを受けることができ、遊技者は記録媒体を再度挿入する必要がない。
【手続補正６】
【補正対象書類名】明細書
【補正対象項目名】０００８
【補正方法】変更
【補正の内容】
【０００８】
本発明の遊技用システムの前記記録媒体発行部は、前記残有価価値の大きさが「０」の場合には、前記記録媒体の発行を行わないことが好ましい。
このようにすれば、前記記録媒体の発行数を低減でき、発行コストを抑えることができる。
【手続補正７】
【補正対象書類名】明細書
【補正対象項目名】０００９
【補正方法】変更
【補正の内容】
【０００９】
本発明の遊技用システムの前記遊技媒体貸出装置は、前記有価価値記憶部に記憶される有価価値の大きさを表示する表示部を、遊技者が可視可能な適宜箇所に有することが好ましい。
このようにすれば、遊技者は投入金額または投入金額に該当する有価価値およびその残数を、逐次確認することができることから、遊技者に安心感を与えることができる。
【手続補正８】
【補正対象書類名】明細書
【補正対象項目名】００１０
【補正方法】変更
【補正の内容】
【００１０】
本発明の遊技用システムの前記遊技媒体貸出装置は、前記貸出遊技媒体数量に対応する有価価値の大きさを遊技者が選択可能とする選択入力部を有することが好ましい。
このようにすれば、遊技者は所望の貸出遊技媒体数量に対応する有価価値を選択入力することで、借り受けたい遊技媒体の数量を逐次変更することができる。
【手続補正９】
【補正対象書類名】明細書
【補正対象項目名】００１１
【補正方法】変更
【補正の内容】
【００１１】
本発明の遊技用システムの前記遊技媒体貸出装置は、前記貨幣識別部により識別された貨幣金額に対応する有価価値の大きさが、所定の貸出遊技媒体数量に対応する有価価値の大きさ以上であるか否かを比較判断する判断手段を有し、該判断手段により所定の貸出遊技媒体数量に対応する有価価値の大きさ以上であると判断された場合には、前記所定の貸出遊技媒体数量の遊技媒体の貸し出しを行うことが好ましい。
このようにすれば、遊技者は前記所定の貸出遊技媒体数量に対応する有価価値に対応する金額以上を投入するのみで、前記所定の貸出遊技媒体数量の遊技媒体の貸し出しが自動的に行われるようになるため、操作をより簡略化することができる。
【手続補正１０】
【補正対象書類名】明細書
【補正対象項目名】００１２
【補正方法】変更
【補正の内容】
【００１２】
本発明の遊技用システムの前記遊技媒体貸出装置は、前記所定の貸出遊技媒体数量に対応する有価価値の大きさを設定する設定部を有することが好ましい。
このようにすれば、前記所定の貸出遊技媒体数量に対応する有価価値を逐次変更することができる。
【手続補正１１】
【補正対象書類名】明細書
【補正対象項目名】００１３
【補正方法】変更
【補正の内容】
【００１３】
本発明の遊技用システムの前記遊技媒体貸出装置は、前記貨幣識別部により貨幣が識別されてから、当該貨幣金額に対応する有価価値の大きさを使用した遊技媒体の貸し出しが行われることなく遊技者により遊技媒体貸し出し終了操作が実行された際に、投入された貨幣を返却することが好ましい。
このようにすれば、遊技者が投入する金額を誤って投入した場合において、前記玉貸終了操作を行うことで、貨幣が返却されるようになる。
【手続補正１２】
【補正対象書類名】明細書
【補正対象項目名】００５３
【補正方法】変更
【補正の内容】
【００５３】
（ａ）請求項１の発明によれば、投入金額に基づく有価価値が前記有価価値記憶部に記憶されるとともに、貸し出された遊技媒体数に対応する有価価値が前記減算処理部にて減算されて前記有価価値記憶部に記憶、更新され、遊技媒体貸し出し終了操作がなされた際に、前記残有価価値特定情報が記録された記録媒体が発行されるようになるため、遊技者は前記記録媒体の発行を受けることなく、遊技媒体の貸し出しを受けることができ、遊技者は記録媒体を再度挿入する必要がない。